(57)【特許請求の範囲】
【請求項１】
光源の複数の発光色を経時的に切り換え、各発光色の発光タイミングと表示画像に応じた各発光色の画素データの入力とを同期させてカラー表示を行うフィールド・シーケンシャル方式の表示方法において、
前記複数の発光色の発光強度を制御し、一の発光色の画素データの入力に同期させて該一の発光色を発光させて他の発光色を発光させない第１制御方式と、一の発光色の画素データの入力に同期させて該一の発光色及び他の発光色を発光させる第２制御方式とを用いて、面積が異なる複数の色再現範囲を得ることとし、
前記画素データに基づく画像表示の精細度が、所定の精細度より高い画像表示の場合には前記第１制御方式を選択し、前記所定の精細度より低い画像表示の場合には前記第２制御方式を選択するように、前記第１制御方式と前記第２制御方式とを切り換えることを特徴とする表示方法。
【請求項２】
前記第２制御方式にあって、前記他の発光色の発光強度を異ならせて、面積が異なる複数の色再現範囲を得ることを特徴とする請求項１記載の表示方法。
【請求項３】
光源の複数の発光色を経時的に切り換え、各発光色の発光タイミングと表示画像に応じた表示素子への各発光色の画素データの入力とを同期させてカラー表示を行うフィールド・シーケンシャル方式の表示装置において、
前記複数の発光色の発光強度を制御し、一の発光色の画素データの入力に同期させて該一の発光色を発光させて他の発光色を発光させない第１制御方式と、一の発光色の画素データの入力に同期させて該一の発光色及び他の発光色を発光させる第２制御方式とを用いて、面積が異なる複数の色再現範囲を得る制御手段と、
前記画素データに基づく画像表示の精細度が、所定の精細度より高い画像表示の場合には前記第１制御方式を選択し、前記所定の精細度より低い画像表示の場合には前記第２制御方式を選択するように、前記第１制御方式と前記第２制御方式とを切り換える切換手段とを備えることを特徴とする表示装置。
【発明の詳細な説明】
【技術分野】
【０００１】  本発明は、表示素子へ入射する各色の光の切換えと各色の表示データによる表示素子での光制御とを同期させてカラー表示を行うフィールド・シーケンシャル方式の表示方法及び表示装置に関する。
【背景技術】
【０００２】  近年のいわゆる情報化社会の進展に伴って、パーソナルコンピュータ，ＰＤＡ（Ｐｅｒｓｏｎａｌ  Ｄｉｇｉｔａｌ  Ａｓｓｉｓｔａｎｔｓ）などに代表される電子機器が広く使用されるようになっている。このような電子機器の普及によって、オフィスでも屋外でも使用可能な携帯型の需要が発生しており、それらの小型・軽量化が要望されている。そのような目的を達成するための手段の一つとして液晶表示装置が広く使用されている。液晶表示装置は、単に小型・軽量化のみならず、バッテリ駆動される携帯型の電子機器の低消費電力化のためには必要不可欠な技術である。【０００３】  液晶表示装置は大別すると反射型と透過型とに分類される。反射型は液晶パネルの前面から入射した光線を液晶パネルの背面で反射させてその反射光で画像を視認させる構成であり、透過型は液晶パネルの背面に備えられた光源（バックライト）からの透過光で画像を視認させる構成である。反射型は環境条件によって反射光量が一定しなくて視認性に劣るため、特に、マルチカラーまたはフルカラー表示を行うパーソナルコンピュータなどの表示装置としては一般的に、カラーフィルタを用いた透過型のカラー液晶表示装置が使用されている。【０００４】  カラー液晶表示装置は、現在、ＴＦＴ（Ｔｈｉｎ  Ｆｉｌｍ  Ｔｒａｎｓｉｓｔｏｒ）などのスイッチング素子を用いたアクティブ駆動型のものが広く使用されている。このＴＦＴ駆動の液晶表示装置は、表示品質は高いものの、液晶パネルの光透過率が現状では数％程度しかないので、高い画面輝度を得るためには高輝度のバックライトが必要になる。このため、バックライトによる消費電力が大きくなってしまう。また、カラーフィルタを用いたカラー表示であるため、１画素を３個の副画素で構成しなければならず、高精細化が困難であり、その表示色純度も十分ではない。【０００５】  このような問題を解決するために、本発明者等はフィールド・シーケンシャル方式の液晶表示装置を開発している（例えば、非特許文献１，２，３参照）。このフィールド・シーケンシャル方式の液晶表示装置は、カラーフィルタ方式の液晶表示装置と比べて、副画素を必要としないため、より精細度が高い表示が容易に実現可能であり、また、カラーフィルタを使わずに光源の発光色をそのまま表示に利用できるため、表示色純度にも優れる。更に光利用効率も高いので、消費電力が少なくて済むという利点も有している。しかしながら、フィールド・シーケンシャル方式の液晶表示装置を実現するためには、液晶の高速応答性（２ｍｓ以下）が必須である。【０００６】  そこで、本発明者等は、上述したような優れた利点を有するフィールド・シーケンシャル方式の液晶表示装置の高速応答化を図るべく、従来に比べて１００〜１０００倍の高速応答を期待できる自発分極を有する強誘電性液晶等の液晶のＴＦＴ等のスイッチング素子による駆動を研究開発している（例えば、特許文献１参照）。強誘電性液晶は、電圧印加によってその液晶分子の長軸方向がチルトする。強誘電性液晶を挟持した液晶パネルを偏光軸が直交した２枚の偏光板で挾み、液晶分子の長軸方向の変化による複屈折を利用して、透過光強度を変化させる。
【特許文献１】特開平１１−１１９１８９号公報
【非特許文献１】吉原敏明，他（Ｔ．Ｙｏｓｈｉｈａｒａ，ｅｔ．ａｌ．）：アイエルシーシー９８（ＩＬＣＣ  ９８）Ｐ１−０７４  １９９８年発行
【非特許文献２】吉原敏明，他（Ｔ．Ｙｏｓｈｉｈａｒａ，ｅｔ．ａｌ．）：エーエム−エルシーディ’９９ダイジェストオブテクニカルペーパーズ（ＡＭ−ＬＣＤ’９９  Ｄｉｇｅｓｔ  ｏｆ  Ｔｅｃｈｎｉｃａｌ  Ｐａｐｅｒｓ，）１８５頁  １９９９年発行
【非特許文献３】吉原敏明，他（Ｔ．Ｙｏｓｈｉｈａｒａ，ｅｔ．ａｌ．）：エスアイディ’００ダイジェストオブテクニカルペーパーズ（ＳＩＤ’００  Ｄｉｇｅｓｔ  ｏｆ  ＴｅｃｈｎｉｃａｌＰａｐｅｒｓ，）１１７６頁  ２０００年発行
【発明の開示】
【発明が解決しようとする課題】
【０００７】  フィールド・シーケンシャル方式の表示装置は、表示色純度に優れているという特徴を有しているが、表示される画像の種類によっては、表示色の純度が高すぎるために、視覚的に刺激の強い表示として感じることがある。特に、拡大表示などにより、赤，緑，青の単色表示を大面積で行った場合に、その刺激が一層強く感じられる。一方、細かな表示を行う場合には、色純度が低ければ、細かな領域を黒領域と認識してしまうため、各色を認識するためには色純度を高くしなければならない。【０００８】  このように、粗い画像表示の場合には、ある程度色純度を抑えた表示が求められ、細かい画像表示の場合には、色純度が高い表示が求められている。【０００９】  本発明は斯かる事情に鑑みてなされたものであり、パターンが異なる複数種の色再現範囲を呈示でき、表示すべき画像に応じて、色純度（色再現範囲）が変更可能なフィールド・シーケンシャル方式の表示方法及び表示装置を提供することを目的とする。【００１０】  本発明の他の目的は、カラーブレイクの発生を抑制できるフィールド・シーケンシャル方式の表示方法及び表示装置を提供することにある。
【課題を解決するための手段】
【００１１】
本発明に係る表示方法は、光源の複数の発光色を経時的に切り換え、各発光色の発光タイミングと表示画像に応じた各発光色の画素データの入力とを同期させてカラー表示を行うフィールド・シーケンシャル方式の表示方法において、前記複数の発光色の発光強度を制御し、一の発光色の画素データの入力に同期させて該一の発光色を発光させて他の発光色を発光させない第１制御方式と、一の発光色の画素データの入力に同期させて該一の発光色及び他の発光色を発光させる第２制御方式とを用いて、面積が異なる複数の色再現範囲を得ることとし、前記画素データに基づく画像表示の精細度が、所定の精細度より高い画像表示の場合には前記第１制御方式を選択し、前記所定の精細度より低い画像表示の場合には前記第２制御方式を選択するように、前記第１制御方式と前記第２制御方式とを切り換えることを特徴とする。
【００１２】
本発明に係る表示装置は、光源の複数の発光色を経時的に切り換え、各発光色の発光タイミングと表示画像に応じた表示素子への各発光色の画素データの入力とを同期させてカラー表示を行うフィールド・シーケンシャル方式の表示装置において、前記複数の発光色の発光強度を制御し、一の発光色の画素データの入力に同期させて該一の発光色を発光させて他の発光色を発光させない第１制御方式と、一の発光色の画素データの入力に同期させて該一の発光色及び他の発光色を発光させる第２制御方式とを用いて、面積が異なる複数の色再現範囲を得る制御手段と、前記画素データに基づく画像表示の精細度が、所定の精細度より高い画像表示の場合には前記第１制御方式を選択し、前記所定の精細度より低い画像表示の場合には前記第２制御方式を選択するように、前記第１制御方式と前記第２制御方式とを切り換える切換手段とを備えることを特徴とする。
【００１３】  本発明の表示方法及び表示装置にあっては、発光色の発光強度を制御して、パターンが異なる複数種の色再現範囲を実現する。よって、表示データを変換することなく、簡単に色純度（色再現範囲）を調整できる。この結果、高精細な画像表示の場合には、色純度が高い表示として各色を確実に認識させ、拡大表示等の粗い表示の場合には、色純度を低くして表示色のきつさ（視覚的刺激の強さ）を抑制する。【００１６】  本発明の表示方法及び表示装置にあっては、特定の一の発光色の画素データの入力に同期させてその一の発光色を発光させて他の発光色を発光させない第１制御方式と、特定の一の発光色の画素データの入力に同期させてその一の発光色及び他の発光色を発光させる第２制御方式とを用いる。高精細な画像表示を行う場合には、第１制御方式に従った発光制御を実施して色純度を高くし、拡大表示等の粗い表示の場合には、第２制御方式に従った発光制御を実施して色純度を低くする。また、この第２制御方式によれば、より白色に近づくので、カラーブレイクを抑制できる。【００１７】  本発明に係る表示方法は、前記第２制御方式にあって、前記他の発光色の発光強度を異ならせて、面積が異なる複数の色再現範囲を得ることを特徴とする。【００１９】  本発明の表示方法及び表示装置にあっては、第２制御方式で、他の発光色の発光強度を異ならせて、パターンが異なる複数種の色再現範囲（色純度）を実現する。第２制御方式における他の発光色の発光強度を小さくすれば、色再現範囲が広くなって色純度は高くなり、これとは逆に、第２制御方式における他の発光色の発光強度を大きくすれば、色再現範囲が狭くなって色純度は低くなる。【００２２】  本発明の表示方法及び表示装置にあっては、表示素子へ入射される複数の色の光が、赤色光、緑色光及び青色光である。よって、フルカラー表示が可能である。【００２４】  本発明の表示装置にあっては、表示素子が液晶表示素子である。表示素子として液晶表示素子を用いるため、小型・薄型の直視型の表示装置、大画面化可能なプロジェクタタイプの表示装置を実現できる。【００２６】  本発明の表示装置にあっては、液晶表示素子に用いられる液晶材料が自発分極を有する。液晶材料として、自発分極を有する液晶材料、例えば強誘電性液晶材料または反強誘電性液晶材料を用いるため、フィールド・シーケンシャル方式の液晶表示装置に必要な２ｍｓ以下の高速応答性を容易に実現して、安定した表示を行える。
【発明の効果】
【００２７】  本発明では、複数パターンの色再現範囲を呈示できるため、つまり可変な色純度を実現できるため、粗い画像表示時に求められるある程度色純度を抑え刺激の少ない表示と、細かい画像表示時に求められる色純度が高い精細な表示とを切り換えて実施することができる。【００２８】  また、本発明では、特定の一の発光色の画素データの入力に同期させてその一の発光色を発光させて他の発光色を発光させない第１制御方式と、特定の一の発光色の画素データの入力に同期させてその一の発光色及び他の発光色を発光させる第２制御方式とを切り換えて、色再現範囲（色純度）を可変とするので、表示データを変換することなく、光源の発光シーケンス、各発光色の発光強度を制御して、容易に色再現範囲（色純度）を調整することができる。また、この第２制御方式を実行するようにしたので、カラーブレイクの発生を抑制することができる。
【図面の簡単な説明】
【００２９】
【図１】本発明の液晶表示装置の回路構成を示すブロック図である。
【図２】液晶パネル及びバックライトの模式的断面図である。
【図３】液晶表示装置の全体の構成例を示す模式図である。
【図４】ＬＥＤアレイの構成例を示す模式図である。
【図５】第１制御方式の駆動シーケンスを示す図である。
【図６】第２制御方式の第１例の駆動シーケンスを示す図である。
【図７】第２制御方式の第２例の駆動シーケンスを示す図である。
【図８】第２制御方式の他の例の駆動シーケンスを示す図である。
【符号の説明】
【００３０】  ７  ＬＥＤアレイ
１３  液晶層
２１  液晶パネル
２２  バックライト
３５  バックライト制御回路
３６  制御方式決定回路
４１  ＴＦＴ
【発明を実施するための最良の形態】
【００３１】  本発明をその実施の形態を示す図面を参照して具体的に説明する。なお、以下では、表示素子が透過型の液晶表示素子であり、光源がＬＥＤ（Ｌａｓｅｒ  Ｅｍｉｔｔｉｎｇ  Ｄｉｏｄｅ）アレイであるフィールド・シーケンシャル方式の液晶表示装置を例として説明するが、本発明は以下の実施の形態に限定されるものではない。【００３２】  図１は本発明の液晶表示装置の回路構成を示すブロック図、図２は液晶表示装置の液晶パネル及びバックライトの模式的断面図、図３は液晶表示装置の全体の構成例を示す模式図、図４はバックライトの光源であるＬＥＤアレイの構成例を示す模式図である。【００３３】  図１において、２１，２２は図２に断面構造が示されている液晶パネル，バックライトを示している。バックライト２２は、図２に示されているように、ＬＥＤアレイ７と導光及び光拡散板６とで構成されている。図２，図３で示されているように、液晶パネル２１は上層（表面）側から下層（背面）側に、偏光フィルム１，ガラス基板２，共通電極３，ガラス基板４，偏光フィルム５をこの順に積層して構成されており、ガラス基板４の共通電極３側の面にはマトリクス状に配列された画素電極４０，４０…が形成されている。【００３４】  ガラス基板４上の画素電極４０，４０…の上面には配向膜１２が、共通電極３の下面には配向膜１１が夫々配置され、これらの配向膜１１，１２間に液晶材料が充填されて液晶層１３が形成される。なお、１４は液晶層１３の層厚を保持するためのスペーサである。【００３５】  これら共通電極３及び画素電極４０，４０…間にはデータドライバ３２及びスキャンドライバ３３等よりなる駆動部５０が接続されている。データドライバ３２は、信号線４２を介してＴＦＴ４１と接続されており、スキャンドライバ３３は、走査線４３を介してＴＦＴ４１と接続されている。ＴＦＴ４１はスキャンドライバ３３によりオン／オフ制御される。また個々の画素電極４０，４０…は、ＴＦＴ４１に接続されている。そのため、信号線４２及びＴＦＴ４１を介して与えられるデータドライバ３２からの信号により、個々の画素の透過光強度が制御される。【００３６】  バックライト２２は、液晶パネル２１の下層（背面）側に位置し、発光領域を構成する導光及び光拡散板６の端面に臨ませた状態でＬＥＤアレイ７が備えられている。このＬＥＤアレイ７は、図４にその模式図が示されているように、導光及び光拡散板６と対向する面に３原色、即ち赤（Ｒ），緑（Ｇ），青（Ｂ）の各色を発光するＬＥＤ素子を１チップとした複数個のＬＥＤを有する。そして、赤，緑，青の各サブフレームにおいては赤，緑，青のＬＥＤ素子夫々の点灯を制御する。導光及び光拡散板６はこのＬＥＤアレイ７の各ＬＥＤからの光を自身の表面全体に導光すると共に上面へ拡散することにより、発光領域として機能する。表示用の光源としてＬＥＤを用いているので、点灯、消灯の切換えを容易に行えて、バックライト２２の分割点灯も容易である。【００３７】  この液晶パネル２１と、各点灯領域毎の赤，緑，青の時分割発光が可能であるバックライト２２とを重ね合わせる。このバックライト２２の点灯タイミング、発光色及び発光強度は、液晶パネル２１に対する表示データに基づくデータ書込み走査に同期して制御される。なお、このバックライト２２の制御については、後に詳述する。【００３８】  図１において、３１は、パーソナルコンピュータから同期信号ＳＹＮが入力され、表示に必要な各種の制御信号ＣＳを生成する制御信号発生回路である。画像メモリ部３０からは画素データＰＤが、データドライバ３２へ出力される。画素データＰＤ、及び、印加電圧の極性を変えるための制御信号ＣＳに基づき、データドライバ３２を介して液晶パネル２１には電圧が印加される。【００３９】  また制御信号発生回路３１からは制御信号ＣＳが、基準電圧発生回路３４，データドライバ３２，スキャンドライバ３３及びバックライト制御回路３５へ夫々出力される。基準電圧発生回路３４は、基準電圧ＶＲ１及びＶＲ２を生成し、生成した基準電圧ＶＲ１をデータドライバ３２へ、基準電圧ＶＲ２をスキャンドライバ３３へ夫々出力する。データドライバ３２は、画像メモリ部３０からの画素データＰＤと制御信号発生回路３１からの制御信号ＣＳとに基づいて、画素電極４０の信号線４２に対して信号を出力する。この信号の出力に同期して、スキャンドライバ３３は、画素電極４０の走査線４３をライン毎に順次的に走査する。またバックライト制御回路３５は、駆動電圧をバックライト２２に与えて、バックライト２２から赤色光，緑色光，青色光を夫々発光させる。【００４０】  図１における３６は、バックライト制御回路３５におけるバックライト制御方式を決定する制御方式決定回路である。制御方式決定回路３６は、表示用の画素データＰＤを入力し、入力した画素データＰＤに基づいて表示画像の精細度を判断し、判断した精細度に応じて採用すべきバックライト制御方式を決定し、決定した制御方式をバックライト制御回路３５へ通知する。バックライト制御回路３５は、通知された制御方式に従ってバックライト２２からの赤色光，緑色光，青色光の発光タイミング及び発光強度を制御する。【００４１】  データドライバ３２からの信号の出力及びスキャンドライバ３３の走査に従ってＴＦＴ４１が駆動し、画素電極４０に電圧が印加され、画素の透過光強度が制御される。バックライト制御回路３５は、制御信号ＣＳを受けた場合に駆動電圧をバックライト２２に与えてバックライト２２のＬＥＤアレイ７が有している赤，緑，青の各色のＬＥＤ素子を時分割して発光させて、赤色光，緑色光，青色光を発光させる。このように、バックライト２２の各色の点灯制御と液晶パネル２１に対するデータ書込み走査とを同期させてカラー表示を行っている。【００４２】  バックライト制御回路３５におけるバックライト制御方式には、特定の一の発光色の画素データの入力に同期させてその一の発光色を発光させて他の発光色を発光させない第１制御方式と、特定の一の発光色の画素データの入力に同期させてその一の発光色及び他の発光色を発光させる第２制御方式とが存在する。【００４３】  図５は、第１制御方式における駆動シーケンスを示しており、図５（ａ）は液晶パネル２１の各ラインの走査タイミング、図５（ｂ）はバックライト２２の赤，緑，青各色の点灯タイミング及び発光強度を表している。【００４４】  フレーム周波数を６０Ｈｚとして、１つの���レーム（期間：１／６０ｓ）を３つのサブフレーム（期間：１／１８０ｓ）に分割し、図５（ａ）に示すように、例えば１フレーム内の第１番目のサブフレームにおいて赤色の画素データの２回の書込み走査を行い、次の第２番目のサブフレームにおいて緑色の画素データの２回の書込み走査を行い、最後の第３番目のサブフレームにおいて青色の画素データの２回の書込み走査を行う。なお、赤色，緑色，青色の各サブフレームにあって、１回目（前半）のデータ書込み走査時においては、表示データに応じて明るい表示が得られる極性の電圧を各画素の液晶にＴＦＴ４１のスイッチングを介して印加する。２回目（後半）のデータ書込み走査時においては、１回目のデータ書込み走査と同じ表示データに基づき、１回目のデータ書込み走査とは極性が異なって大きさが等しい電圧を各画素の液晶に印加し、１回目のデータ書込み走査と比較して実質的に黒表示とみなせる暗い表示を得る。【００４５】  バックライト２２の赤，緑，青各色の点灯制御は、図５（ｂ）に示すように、赤色の画素データの書込み走査が行われる第１番目のサブフレームにおいて赤色のみを発光させ、緑色の画素データの書込み走査が行われる第２番目のサブフレームにおいて緑色のみを発光させ、青色の画素データの書込み走査が行われる第３番目のサブフレームにおいて青色のみを発光させる。この第１制御方式は、色度図における色再現範囲が広くて、色純度が高く、高精細な画像表示に適している。【００４６】  図６、図７は、第２制御方式の第１例、第２例における駆動シーケンスを示しており、図６（ａ）、図７（ａ）は液晶パネル２１の各ラインの走査タイミング、図６（ｂ）、図７（ｂ）はバックライト２２の赤，緑，青各色の点灯タイミング及び発光強度を表している。【００４７】  なお、図６（ａ）、図７（ａ）に示す液晶パネル２１の各ラインの走査タイミング（２回の書込み走査）は、上述した図５（ａ）に示したものと同一であるので、その説明は省略する。【００４８】  一方、バックライト２２の赤，緑，青各色の点灯制御は、図６（ｂ）、図７（ｂ）に示すように、赤色の画素データの書込み走査が行われる第１番目のサブフレームにおいて、赤色だけでなく他の色（緑色及び青色）も発光させ（赤色の発光強度＞緑色，青色の発光強度）、緑色の画素データの書込み走査が行われる第２番目のサブフレームにおいて、緑色だけでなく他の色（赤色及び青色）も発光させ（緑色の発光強度＞赤色，青色の発光強度）、青色の画素データの書込み走査が行われる第３番目のサブフレームにおいて、青色だけでなく他の色（赤色及び緑色）も発光させる（青色の発光強度＞赤色，緑色の発光強度）。【００４９】  この第２制御方式は、第１制御方式に比べて、色度図における色再現範囲が狭くて、色純度が低く、拡大表示などの粗い画像表示に適している。また、第２例（図７（ｂ））では第１例（図６（ｂ））に比べて、各サブフレームにおける他の色の発光強度が大きくなっており、色再現範囲がより狭くて、色純度がより低くなる。【００５０】  制御方式決定回路３６は、入力した画素データＰＤに基づく画像表示の精細度に応じて、第１制御方式、第２制御方式の第１例、第２例の中から使用する制御方式���決定する。具体的には、画像精細度が高い画像表示（細かい画像表示）の場合には、高い色純度を呈する第１制御方式を選択し、画像精細度が比較的低い画像表示（粗い画像表示）の場合には、少し低下した色純度を呈する第２制御方式（第１例または第２例）を選択する。なお、第２制御方式に決定する場合、画像表示の精細度に応じて更に第１例、第２例の何れかを選択できる。【００５１】（実施例）
ＴＦＴ４１、信号線４２、走査線４３、画素電極４０，４０…（画素数６４０×４８０，対角３．２インチ）を有するガラス基板４と、共通電極３を有するガラス基板２とを洗浄した後、ポリイミドを塗布して２００℃で１時間焼成することにより、約２００Åのポリイミド膜を配向膜１１，１２として成膜した。更に、これらの配向膜１１，１２をレーヨン製の布でラビングし、ラビング方向が平行となるようにこれらの２枚の基板を重ね合わせ、両者間に平均粒径１．６μｍのシリカ製のスペーサ１４でギャップを保持した空パネルを作製した。【００５２】  この空パネルに、ナフタレン系液晶を主成分とする双安定型の強誘電性液晶材料（例えば、Ａ．Ｍｏｃｈｉｚｕｋｉ，ｅｔ．ａｌ．：Ｆｅｒｒｏｅｌｅｃｔｒｉｃｓ，１３３，３５３（１９９１）に開示された材料）を封入して液晶層１３とした。封入した強誘電性液晶材料の自発分極の大きさは６ｎＣ／ｃｍ２であった。作製したパネルをクロスニコル状態の２枚の偏光フィルム１，５で挟んで液晶パネル２１とし、強誘電性液晶分子の長軸方向が一方に傾いたときに暗状態になるようにした。【００５３】  このようにして作製した液晶パネル２１と、赤（Ｒ），緑（Ｇ），青（Ｂ）の各色を発光する各ＬＥＤ素子を１チップとした１２個のＬＥＤからなるＬＥＤアレイ７を光源としたバックライト２２とを重ね合わせ、図６に示すような第２制御方式の第１例の駆動シーケンスに従って、拡大表示された画像のカラー表示を行った。この結果、各色の領域を十分に認識でき、色のきつさ（視覚的刺激の強さ）を感じることがなかった。また、カラーブレイクを抑制できた。【００５４】  また、図７に示すような第２制御方式の第２例の駆動シーケンスに従って、赤色、緑色、青色の単色領域が大きな面積を占めるような画像のカラー表示を行った。この結果、それぞれの単色領域を十分に認識でき、色のきつさ（視覚的刺激の強さ）を感じることがなかった。また、カラーブレイクを抑制できた。【００５５】  また、図５に示すような第１制御方式の駆動シーケンスに従って、各色領域が細かい画像のカラー表示を行った。この結果、高精細、高色純度表示を実現できた。また、カラーブレイクはやや感じられた。【００５６】（比較例）
上述の実施例と同様な液晶パネル及びバックライトを重ね合わせ、図５に示すような第１制御方式の駆動シーケンスに従って、拡大表示された画像、及び赤色、緑色、青色の単色領域が大きな面積を占めるような画像のカラー表示を行った。この結果、何れのカラー表示においても、各色の領域は十分に認識できたが、色のきつさ（視覚的刺激の強さ）を感じた。また、カラーブレイクも感じられた。【００５７】  なお、上述した実施の形態では、第２制御方式において他の色の発光強度を異ならせて２種類の例（第１例、第２例）を設定することとしたが、この場合の設定数は２に限らず、１または３以上であっても良いことは勿論である。【００５８】  図８は、第２制御方式の他の例における駆動シーケンスを示しており、図８（ａ）は液晶パネル２１の各ラインの走査タイミング、図８（ｂ）はバックライト２２の赤，緑，青各色の点灯タイミング及び発光強度を表している。なお、図８（ａ）に示す液晶パネル２１の各ラインの走査タイミング（２回の書込み走査）は、上述した図５（ａ）に示したものと同一であるので、その説明は省略する。【００５９】  バックライト２２の赤，緑，青各色の点灯制御は、図８（ｂ）に示すように、第１例及び第２例と同様に、赤色の画素データの書込み走査が行われる第１番目のサブフレームにおいて、赤色だけでなく他の色（緑色及び青色）も発光させ（赤色の発光強度＞緑色，青色の発光強度）、緑色の画素データの書込み走査が行われる第２番目のサブフレームにおいて、緑色だけでなく他の色（赤色及び青色）も発光させるが（緑色の発光強度＞赤色，青色の発光強度）、青色の画素データの書込み走査が行われる第３番目のサブフレームにおいては、第１例、第２例とは異なり、青色のみを発光させている。【００６０】  第２制御方式において、どの例の方式（例えば図６〜図８の何れか）を選択するかは、色度図をどの方向に縮めるかに応じて決定される。言い換えると、ユーザが所望する色度図が得られるように、第２制御方式における駆動シーケンス（各色の発光タイミング及び発光強度）を設定しておくことが可能である。【００６１】  上述した実施の形態では、入力される画素データに応じて、第１制御方式または第２制御方式が決定されることとしたが、これとは異なり、ユーザの選択入力に応じて、第１制御方式または第２制御方式が決定されるようにしても良い。【００６２】  また、上述した実施の形態では、自発分極を有する強誘電性液晶材料を用いた場合について説明したが、自発分極を有する他の液晶材料、例えば反強誘電性液晶材料を用いた場合、または、自発分極を有さないネマチック液晶材料を用いた場合においても、同様の効果が得られる。また、透過型の液晶表示装置に限定されるものではなく、反射型の液晶表示装置、フロント／リアプロジェクタにおいても本発明の適用が可能である。【００６３】  更に、表示素子として透過型の液晶表示素子を用いるフィールド・シーケンシャル方式の液晶表示装置を例として説明したが、他の表示素子、例えばディジタルマイクロミラーデバイス（ＤＭＤ）などを用いた他のフィールド・シーケンシャル方式の表示装置であっても、本発明を同様に適用できることは勿論である。
【図１】
0004628425.tif 000002
【図２】
0004628425.tif 000003
【図３】
0004628425.tif 000004
【図４】
0004628425.tif 000005
【図５】
0004628425.tif 000006
【図６】
0004628425.tif 000007
【図７】
0004628425.tif 000008
【図８】
0004628425.tif 000009